(57)【特許請求の範囲】
【請求項１】
施工面に対して略平行な四角形状の取付面部と、前記取付面部の各辺から外側に向かって前記施工面に近付くように傾斜した傾斜面部と、を有する器具本体と、
複数のＬＥＤチップが設けられたＬＥＤ基板を有する長尺状の複数のＬＥＤユニットと、を備え、
前記器具本体の前記取付面部と前記傾斜面部に前記ＬＥＤユニットが設けられ、前記複数のＬＥＤユニットのうち前記取付面部に取り付けられたＬＥＤユニットを取付面部ＬＥＤユニットとし、前記傾斜面部に取り付けられたＬＥＤユニットを傾斜面部ＬＥＤユニットとした場合に、
前記取付面部において、複数の前記取付面部ＬＥＤユニットが、前記取付面部の四辺のうちの二辺に沿って設けられ、
各前記傾斜面部において、前記傾斜面部ＬＥＤユニットが、前記取付面部の四辺の各々に沿って、かつ、傾斜角度を調整可能に設けられ、
各前記傾斜面部ＬＥＤユニットの前記傾斜角度を調整することによって、四辺方向への光の照射角度を調整可能である照明器具。
【請求項２】
請求項１に記載の照明器具において、
前記取付面部ＬＥＤユニットおよび前記傾斜面部ＬＥＤユニットの各々は、全体が枠状であり、かつ組み立てに用いられる締結部材を覆って、前記締結部材が下方から見えないようにするアンダーカバーを有する照明器具。
【発明の詳細な説明】
【技術分野】
【０００１】
本発明は、ＬＥＤを光源に用い天井面等に取り付けられて下方を照明する照明器具に関するものである。
【背景技術】
【０００２】
従来より、ＬＥＤを光源に用いて天井面に取り付けられる照明器具であるシーリングライトが知られている（例えば、特許文献１参照）。
図７に示すように、特許文献１に記載の照明器具１００は、天井面１０１に取り付けられて下方を照明するものであり、天井面１０１に取り付けられる断面台形状の器具本体１０２を有する。
すなわち、器具本体１０２は、天井面１０１に平行な取付面部１０３と、この取付面部１０３から外側に向かって天井面１０１側に傾斜する傾斜面部１０４を有する。取付面部１０３および傾斜面部１０４には、それぞれ光源として複数のＬＥＤ１０５が取り付けられている。
【先行技術文献】
【特許文献】
【０００３】
【特許文献１】実用新案登録第３１５６７２１号公報（第６図）
【発明の概要】
【発明が解決しようとする課題】
【０００４】
しかしながら、前述した特許文献１記載の照明器具１００においては、取付面部１０３および傾斜面部１０４に、多数のＬＥＤ１０５が直接取り付けられているため、製造時における取り扱いが面倒であるという問題があった。
【０００５】
本発明は、従来の問題を解決するためになされたもので、多数のＬＥＤを光源として用いながら、製造時の取り扱いが容易な照明器具を提供することを目的とする。
【課題を解決するための手段】
【０００６】
本発明の照明器具は、施工面に対して略平行な四角形状の取付面部と、前記取付面部の各辺から外側に向かって前記施工面に近付くように傾斜した傾斜面部と、を有する器具本体と、複数のＬＥＤチップが設けられたＬＥＤ基板を有する長尺状の複数のＬＥＤユニットと、を備え、前記器具本体の前記取付面部と前記傾斜面部に前記ＬＥＤユニットが設けられ、前記複数のＬＥＤユニットのうち前記取付面部に取り付けられたＬＥＤユニットを取付面部ＬＥＤユニットとし、前記傾斜面部に取り付けられたＬＥＤユニットを傾斜面部ＬＥＤユニットとした場合に、前記取付面部において、複数の前記取付面部ＬＥＤユニットが、前記取付面部の四辺のうちの二辺に沿って設けられ、各前記傾斜面部において、前記傾斜面部ＬＥＤユニットが、前記取付面部の四辺の各々に沿って、かつ、傾斜角度を調整可能に設けられ、各前記傾斜面部ＬＥＤユニットの前記傾斜角度を調整することによって、四辺方向への光の照射角度を調整可能であるものである。
【０００８】
また、本発明の照明器具は、前記取付面部ＬＥＤユニットおよび前記傾斜面部ＬＥＤユニットの各々は、全体が枠状であり、かつ組み立てに用いられる締結部材を覆って、前記締結部材が下方から見えないようにするアンダーカバーを有するものである。
【発明の効果】
【００１０】
本発明は、複数のＬＥＤをＬＥＤ基板に搭載してＬＥＤユニットを形成して器具本体に取り付けるので、多数のＬＥＤを光源として用いながら、製造時の取り扱いが容易になる。また、本発明は、複数のＬＥＤが直線上に１列に配設された傾斜面部ＬＥＤユニットにより、部屋の隅まで均一に照明できるという効果を有する照明器具を提供できる。
【図面の簡単な説明】
【００１１】
【図１】本発明に係る実施形態の照明器具を下方から見た斜視図
【図２】図１中ＩＩ方向から見た底面図
【図３】図１中ＩＩＩ−ＩＩＩ位置の断面図
【図４】ＬＥＤユニットの分解斜視図
【図５】（Ａ）は傾斜面部を設けた本発明の照明器具の断面図および照明範囲を示す部屋の平面図であり、（Ｂ）は傾斜面部を設けない照明器具の断面図および照明範囲を示す部屋の平面図
【図６】（Ａ）は傾斜面部ＬＥＤユニットにより床面および壁面を照明している状態の斜視図であり、（Ｂ）は傾斜面部ＬＥＤユニットにより壁面の一部を照明している状態の斜視図であり、（Ｃ）は傾斜面部ＬＥＤユニットを設けない場合の照明を示す斜視図
【図７】（Ａ）は従来の照明器具の斜視図であり、（Ｂ）は（Ａ）中Ｂ−Ｂ位置の断面図
【発明を実施するための形態】
【００１２】
以下、本発明に係る実施形態の照明器具について、図面を用いて説明する。
図１に示すように、本発明に係る実施形態の照明器具１０は、施工面である天井面１１等に取り付けられて下方を照明するものであり、天井面１１に取り付けられる例えば正方形状の器具本体２０を有する。なお、図１においては、器具本体２０の前方（下方）に取り付けられる透光性カバー２６（図３参照）を外した状態である。
また、天井面１１には、照明器具１０を取り付けるための引っ掛けシーリング１２（図３参照）が取り付けられている。
【００１３】
図２および図３に示すように、器具本体２０は、天井面１１に取り付けられる例えば正方形上の形状のベースプレート２１を有する。ベースプレート２１の中央には、天井面１１の引っ掛けシーリング１２に取り付けることにより照明器具１０を取り付けるための取付金具２５がベースプレート２１を貫通して設けられている。
また、ベースプレート２１の下面２１１には、対向する２端辺２１２、２１３から各々一定幅の区間２１２Ａ、２１３Ａを除いて、端辺２１２、２１３に平行な断面が台形であるＬＥＤユニット取付台２２が取り付けられている。
【００１４】
取付台２２は、ベースプレート２１と平行な取付面部２３と、取付面部２３の端部とベースプレート２１との間に設けられ、外側に向かってベースプレート２１に近付く方向へ傾斜した傾斜面２４１を有する傾斜面部２４を有する。
なお、取付面部２３は、ベースプレート２１の中央に設けられている取付金具２５との干渉を避けるため、図１に示すように、２分割してもよい。
【００１５】
取付面部２３および傾斜面部２４にはＬＥＤユニット３０が取り付けられている。例えば、取付面部２３には、中央の取付金具２５を挟んで両側に各々３個の取付面部ＬＥＤユニット３１が平行に配設されている。
そして、一対の傾斜面部２４、２４には、各々１個の傾斜面部ＬＥＤユニット３２が傾斜面２４１に配設されており、下方外向きに光を照射する。
さらに、取付面部２３の一対の端面２３１の両外側には、端面２３１とベースプレート２１下面との間に、各々１個の端面部ＬＥＤユニット３３が、傾斜して取り付けられている。この端面部ＬＥＤユニット３３の取付角度は、調整可能とすることができる。
【００１６】
なお、ここでは、ＬＥＤユニット取付台２２として、ベースプレート２１の対向する端辺２１２，２１３に沿った断面のみが台形となっている場合を示したが、端辺２１２，２１３に直交する方向にも傾斜面を設けて、全体を下方に尖った四角錐台形状とすることもできる。
従って、端面部ＬＥＤユニット３３が取り付けられている部位も、傾斜面部２４に含むこととする。
【００１７】
図３に示すように、ベースプレート２１の下面２１１には、前述したＬＥＤユニット３０（取付面部ＬＥＤユニット３１，傾斜面部ＬＥＤユニット３２，端面部ＬＥＤユニット３３の総称である。）を収容する透光性カバー２６が着脱可能に取り付けられる。透光性カバー２６は、下向きに尖る四角錐台形状を呈している。
【００１８】
図４に示すように、ＬＥＤユニット３０は全体細長い長方形状をしており、最下層（図４において最上部）に長方形の本体３４を有する。本体３４は、放熱性を向上させるため、アクリルにより形成されている。
これにより、ＬＥＤチップ３５１が発した熱を効率的に放熱できるので、ＬＥＤユニット３０の寿命を大幅に延ばすことができる。
【００１９】
本体３４の上（図４において下）には、複数のＬＥＤチップ３５１を実装したＬＥＤ基板３５が取り付けられる。少なくとも傾斜面部２４に配設されている傾斜面部ＬＥＤユニット３２，端面部ＬＥＤユニット３３においては、ＬＥＤチップ３５１は、ＬＥＤ基板３５上に１列の直線上に配列されている。
本体３４の上（図４において下）には、ＬＥＤチップ３５１およびＬＥＤ基板３５を覆う難燃性の樹脂で形成された透光性のカバー３６が配設される。
【００２０】
そして、ＬＥＤ基板３５およびカバー３６を本体３４に取り付けるために、全体枠状のアンダーカバー３７が本体３４に取り付けられる。アンダーカバー３７は、ＡＢＳで形成されており、ねじ等の締結手段を用いずに本体３４に取り付けられて、アンダーカバー３７と本体３４との間にＬＥＤ基板３５およびカバー３６を挟持する。従って、ＬＥＤユニット３０を下方から見たときには、ＬＥＤユニット３０を組み立てているねじ等の締結手段は見えない。
なお、上述したようなＬＥＤユニット３０は、傾斜面部２４に限らず、取付面部２３にも同じＬＥＤユニット３０を用いることができる。
【００２１】
図５には、照明器具による部屋Ｒの床面Ｆに対する照明範囲（図中ハッチング部分）が示されている。
図５（Ａ）に示すように、取付面部２３の外側に傾斜面部２４の傾斜面部ＬＥＤユニット３２（端面部ＬＥＤユニット３３）を設けた照明器具１０によれば、部屋Ｒの床面Ｆの隅や壁面Ｗまで照明光が照射される。なお、図示はしないが、取付面部２３の取付面部ＬＥＤユニット３１の長手方向に直交する傾斜面部２４には、端面部ＬＥＤユニット３３が設けられている。
一方、図５（Ｂ）に示すように、傾斜面部２４を設けず、全て取付面部２３に取付面部ＬＥＤユニット３１を取り付けた場合には、部屋Ｒの床面Ｆの隅や壁面Ｗまで照明光が照射されていない。
これにより、傾斜面部２４に設けた傾斜面部ＬＥＤユニット３２，端面部ＬＥＤユニット３３により部屋Ｒの隅々まで照明できることが分かる。
【００２２】
図６（Ａ）ないし（Ｃ）には、傾斜面部２４の傾斜面部ＬＥＤユニット３２，端面部ＬＥＤユニット３３（以後、端面部ＬＥＤユニット３３について説明する。）の傾斜角度の調整による照明範囲の調整（調光）を示している。
図６（Ａ）に示すように、端面部ＬＥＤユニット３３の傾斜角度を調整することにより、床面Ｆと壁面Ｗを連続して同時に照明することができる。
また、端面部ＬＥＤユニット３３の指向性が強いので、図６（Ｂ）に示すように、端面部ＬＥＤユニット３３の傾斜角度を水平側（上側）へ調整することにより、家具Ｔ等の障害物を避けて、壁面Ｗのみ照明することができる。
なお、傾斜面部２４の端面部ＬＥＤユニット３３を設けていない場合には、図６（Ｃ）に示すように、床面Ｆのみの照明となる。
【００２３】
以上、説明した本発明に係る実施形態の照明器具１０によれば、複数のＬＥＤチップ３５１をＬＥＤ基板３５に搭載してＬＥＤユニット３０を形成して器具本体２０に取り付けるので、多数のＬＥＤチップ３５１を光源として用いながら、製造時の取り扱いが容易になる。
また、器具本体２０に、施工面である天井面１１に対して略平行な取付面部２３および取付面部２３から外側に向かって天井面１１に近付くように傾斜した傾斜面部２４を設けて、取付面部２３および傾斜面部２４に複数のＬＥＤユニット３０を取り付けたので、傾斜面部２４の傾斜面部ＬＥＤユニット３２，端面部ＬＥＤユニット３３によって部屋Ｒの隅や壁面Ｗまで照明できる。
また、傾斜面部２４に取り付けられる傾斜面部ＬＥＤユニット３２，端面部ＬＥＤユニット３３には、複数のＬＥＤチップ３５１を直線上に配列したので、壁面Ｗに対する平行性が保持され、壁面Ｗまたは壁面Ｗと接する床面Ｆを広範囲に亘って均一に照明できる。
【００２４】
また、取付面部２３に取り付けられる取付面部ＬＥＤユニット３１を、傾斜面部２４に取り付けられる傾斜面部ＬＥＤユニット３２，端面部ＬＥＤユニット３３と同形状としたので、ＬＥＤユニット３０を共用できる。このため、ＬＥＤユニット３０の製造が容易になるとともに、照明器具１０の製造時におけるＬＥＤユニット３０の取り扱いが容易になる。
また、ＬＥＤユニット３０を、取付面部２３および傾斜面部２４に共通に用いることにより、部屋Ｒの隅や壁面Ｗまで同質の照明を行うことができる。
また、取付面部２３にＬＥＤユニット３０を平行に配設するので、照明器具１０におけるＬＥＤユニット３０の見た目が一様となり、外観を向上できる。
また、全て同じＬＥＤユニット３０を用いるので、製造時に異なるＬＥＤユニットを用いる誤作業を防止できるとともに、ＬＥＤユニット３０を平行に配置するので、器具製造時に器具本体を回転させる必要がなく、取付工数を削減できる。
【００２５】
また、ＬＥＤユニット３０は、組み立て用の締結部材が照射側から見て露出していないので、ユーザが誤ってねじ等を外してＬＥＤユニット３０を分解するのを阻止できるとともに、外観を向上できる。
【００２６】
さらに、傾斜面部２４に取り付ける傾斜面部ＬＥＤユニット３２，端面部ＬＥＤユニット３３の傾斜角度を調整可能とすることにより、壁面Ｗの高さ方向に対する照度を任意に設定可能であり、部屋Ｒ全体を明るくするとともに、様々な雰囲気の演出照明が可能になる。
【００２７】
なお、本発明の照明器具は、前述した実施形態に限定されるものでなく、適宜な変形，改良等が可能である。
例えば、前述した実施形態においては、ＬＥＤユニット３０のＬＥＤ基板３５上に、ＬＥＤチップ３５１を一列設けたが、複数列設けることも可能である。
【符号の説明】
【００２８】
１０  照明器具
１１  天井面（施工面）
２０  器具本体
２３  取付面部
２４  傾斜面部
３１  取付面部ＬＥＤユニット
３２  傾斜面部ＬＥＤユニット
３３  端面部ＬＥＤユニット
３５  ＬＥＤ基板
３５１  ＬＥＤチップ（ＬＥＤ）
【図１】
0005669089.tif 000002
【図２】
0005669089.tif 000003
【図３】
0005669089.tif 000004
【図４】
0005669089.tif 000005
【図５】
0005669089.tif 000006
【図６】
0005669089.tif 000007
【図７】
0005669089.tif 000008